(57)【要約】【課題】本発明は、視覚的な効果を減ずることなく遊技領域を有効に活用できるとともに、光が発せられることに意外性を持たせられる遊技機の提供を目的としている。【解決手段】本発明は、正面に遊技領域１ａを形成した遊技盤１の背面側から正面側に向けて光を発することができる発光ユニットＢを、その遊技盤１内からこれの正面に突出しないようにして遊技領域１ａ内の所定の位置に設けた構成になっている。【選択図】図３
2005152226.tif 000002
【特許請求の範囲】
【請求項１】
遊技盤の正面に遊技領域を形成している遊技機において、
上記遊技盤の背面側から正面側に向けて光を発することができる発光ユニットを、その遊技盤内からこれの正面に突出しないようにして遊技領域内の所定の位置に設けていることを特徴とする遊技機。
【請求項２】
上記所定の位置にはユニット用窓孔が形成されており、そのユニット用窓孔内に発光ユニットを配置していることを特徴とする請求項１に記載の遊技機。
【請求項３】
ユニット用窓孔の遊技領域側開口を視認できないように隠蔽しかつ発光ユニットから発せられた光を透過する開口隠蔽部材を設けたことを特徴とする請求項２に記載の遊技機。
【請求項４】
遊技盤は、主板の正面に盤面板が重ね合わされてなり、その盤面板が開口隠蔽部材を兼ねていることを特徴とする請求項３に記載の遊技機。
【請求項５】
開口隠蔽部材を補強しかつ発光ユニットから発せられた光を透過する補強部材を、ユニット用窓孔内に配置していることを特徴とする請求項３又は４に記載の遊技機。
【請求項６】
発光ユニットから発せられた光を拡散するための光拡散加工を補強部材又は開口隠蔽部材に施していることを特徴とする請求項５に記載の遊技機。
【請求項７】
ユニット用窓孔内に、発光ユニットから発せられた光を回析させるための回析用部材を設けたことを特徴とする請求項２〜６のいずれかに記載の遊技機。
【請求項８】
発光ユニットから発せられた光を拡散するための散光部材を設けていることを特徴とする請求項１〜５のいずれか又は請求項７に記載の遊技機。
【請求項９】
各種の制御装置を取り付けるための取付け版体が、遊技盤の背面に対向して配置されており、その取付け版体に発光ユニットを固定していることを特徴とする請求項１〜８のいずれかに記載の遊技機。
【発明の詳細な説明】
【技術分野】
【０００１】
本発明は、例えばぱちんこ遊技機，ピンボールマシン又はスロットマシン等の遊技機に関する。
【背景技術】
【０００２】
従来、遊技盤の正面に形成された遊技領域には、この遊技領域に打ち込まれた遊技球の落下の方向に変化を与えるための風車や遊技くぎ等の障害部材が配設されているとともに、その障害部材としての機能を兼ねるセンター飾りランプ，袖飾りランプ，サイド飾りランプ等の装飾部材が設けられている。
【０００３】
各装飾部材は、それぞれ所要の輪郭に形成した回路基板上に、複数のＬＥＤを所定の配置にして実装しているとともに、その回路基板に、遊技領域内に突出して配置されるレンズ部材を取り付けた構成になっているものである。
【０００４】
上記の構成からなる装飾部材は、例えば遊技領域に配置されている各種のチャッカに遊技玉が入賞したときや遊技状態が移行するとき等に所定の間隔での点滅や発光色を変化させること等の発光態様が制御されるようになっている。
【発明の開示】
【発明が解決しようとする課題】
【０００５】
しかしながら、装飾部材は上記したように遊技領域内にレンズ部材が突出して配置されているので、視覚的な効果を高めようとして大きなものを配置したり、その数を増やそうとすると、遊技領域を狭めてしまうことになって遊技球の遊動範囲を制限してしまう。
【０００６】
また、レンズ部材が遊技領域に突出して設けられていることにより、その位置が明らかであるとともに、遊技状態が移行するときに点滅すること等が予想されやすいため、装飾部材が点滅することには視覚的なインパクトがない。
【０００７】
そこで本発明は、視覚的な効果を減ずることなく遊技領域を有効に活用できるとともに、光が発せられることに意外性を持たせられる遊技機の提供を目的としている。
【課題を解決するための手段】
【０００８】
上記目的を達成するための本発明に係る遊技機の構成は、次のとおりである。
請求項１に記載した遊技機は、遊技盤の正面に遊技領域を形成しているものであり、その遊技盤の背面側から正面側に向けて光を発することができる発光ユニットを、その遊技盤内からこれの正面に突出しないようにして遊技領域内の所定の位置に設けていることを特徴としている。
【０００９】
請求項２に記載の遊技機は、請求項１に記載した所定の位置にユニット用窓孔が形成されており、そのユニット用窓孔内に発光ユニットを配置した構成になっている。
【００１０】
請求項３に記載の遊技機は、請求項２に記載した構成に加えて、ユニット用窓孔の遊技領域側開口を視認できないように隠蔽しかつ発光ユニットから発せられた光を透過する開口隠蔽部材を設けている。
【００１１】
請求項４に記載の遊技機は、請求項３に記載した遊技盤が、主板の正面に盤面板が重ね合わされてなり、その盤面板が開口隠蔽部材を兼ねている。
【００１２】
請求項５に記載の遊技機は、請求項３又は４に記載した構成に加えて、開口隠蔽部材を補強しかつ発光ユニットから発せられた光を透過する補強部材を、ユニット用窓孔内に配置している。
【００１３】
請求項６に記載の遊技機は、請求項５に記載した構成において、発光ユニットから発せられた光を拡散するための光拡散加工を補強部材又は開口隠蔽部材に施している。
【００１４】
請求項７に記載の遊技機は、請求項２〜６のいずれかに記載した構成に加えて、ユニット用窓孔内に、発光ユニットから発せられた光を回析させるための回析用部材を設けている。
【００１５】
請求項８に記載の遊技機は、請求項１〜５のいずれか又は請求項７に記載した構成に加えて、発光ユニットから発せられた光を拡散するための散光部材を設けている。
【００１６】
請求項９に記載の遊技機は、請求項１〜８のいずれかに記載した構成において、各種の制御装置を取り付けるための取付け版体が、遊技盤の背面に対向して配置されており、その取付け版体に発光ユニットを固定している。
【発明の効果】
【００１７】
請求項１〜９に記載した発明によれば、遊技盤の背面側から正面側に向けて光を発することができる発光ユニットを、その遊技盤内からこれの正面に突出しないようにして遊技領域内の所定の位置に設けているので、視覚的な効果を減ずることなく遊技領域を有効に活用できる。従って、遊技球の遊動範囲を狭めることがない。
また、遊技盤の正面側に突出しないように設けていることにより、発光ユニットが設けられていることを遊技者に判別させないか、判別させにくくできるため、遊技領域の一部から光が発せられることに、意外性を持たせられる。
【００１８】
請求項１〜９に記載した発明で得られる上記共通の効果に加え、各請求項に記載した発明によれば次の各効果を得ることができる。
請求項２に記載した発明によれば、遊技盤の遊技領域内の所定の位置に形成した発光ユニット用開口内に発光ユニットを配置しているので、簡易な構成にすることができる。
【００１９】
請求項３に記載した発明によれば、ユニット用窓孔の遊技領域側開口を視認できないように隠蔽しかつ発光ユニットから発せられた光を透過する開口隠蔽部材を設けているので、発光ユニットから光を発しないときには、遊技領域内に配置されている発光ユニットを遊技者によって判別されることがなく、発光ユニットから光を発したときに、判別されていない遊技領域の一部から光が発せられるので意外性を持たせられる。
【００２０】
請求項４に記載した発明によれば、主板の正面に重ね合わされた盤面板が開口隠蔽部材を兼ねているので、盤面板とは別に開口隠蔽部材を設ける必要がなく、簡易な構成にすることができる。
【００２１】
請求項５に記載した発明によれば、開口隠蔽部材を補強しかつ発光ユニットから発せられた光を透過する補強部材をユニット用窓孔内に配置しているので、発光ユニットから発せられた光を遮ることなく開口隠蔽部材を補強することができ、そのユニット用窓孔に対向する部分の開口隠蔽部材が変形すること等を防止できる。
【００２２】
請求項６に記載した発明によれば、発光ユニットから発せられた光を拡散するための光拡散加工を補強部材又は開口隠蔽部材に施しているので、発光ユニットから発せられた光を均一化して視覚的に綺麗に光らせることができる。
【００２３】
請求項７に記載した発明によれば、ユニット用窓孔内に、発光ユニットから発せられた光を回析させるための回析用部材を配置しているので、回析光を利用した特異な視覚的な効果を得ることができる。
【００２４】
請求項８に記載した発明によれば、発光ユニットから発せられた光を拡散するための散光部材を設けているので、補強部材又は開口隠蔽部材に光拡散加工を施すことなく、発光ユニットから発せられた光を均一化して綺麗に光らせることができる。
【００２５】
請求項９に記載した発明によれば、各種の制御装置を取り付けるための取付け版体が、遊技盤の裏面側に対向して配置されており、その取付け版体に発光ユニットを固定しているので、たとえ複数の発光ユニットを配置したとしてもそれらの取り付け，取り外しを一度に行なうことができる。
【発明を実施するための最良の形態】
【００２６】
所謂ホール等に設置されている各種の遊技機は、直径約２５（ミリ）のメダルや外径約１１（ミリ）の遊技球その他の遊技媒体の供給に基づいて、種々の遊技（ゲーム）を行なうことができるようになっている。
【００２７】
上記の各遊技機は、各々の遊技性を基準として、風俗営業の適正化等の規制及び業務の適正化等に関する法律（以下「風営適正化法」という。）及び同法施行規則において、ぱちんこ遊技機，回動式遊技機等として区分されている。
【００２８】
上記のぱちんこ遊技機では、これに設けられている電動役物の違いにより、さらに次のように分類されている。
「第１種」
第１種特別電動役物に係る役物連続作動装置が搭載されている遊技機である。  具体的には、特定の入賞口に遊技球が入賞すると、遊技領域に配設されたディスプレイに識別情報の変動態様が表示され、その後、当該識別情報の所定の停止態様が表示されることにより、通常の遊技状態からこれよりも遊技者にとって有利な遊技状態に移行することを内容としたもの。
【００２９】
この第１種の遊技機において、「通常の遊技状態」は、後述するアタッカ（大入賞口）３８の開閉扉３８ａを開放しない態様からなる。また、「遊技者にとって有利な遊技状態」とは、アタッカ３８の開閉扉３８ａを所定時間だけ開放するという態様からなる。
「遊技者にとって有利な遊技状態」は、アタッカ３８内に設けられたＶゾーンに遊技球が入賞することによって繰り返されるが、当該繰り返しが既定の回数に達したときに終了するようになっている。
【００３０】
「第２種」
第２種特別電動役物に係る役物連続作動装置が搭載されている遊技機である。
具体的には、特定の入賞口に遊技球が入賞すると、遊技領域に配設されている役物の羽根の開閉動作が１又は２回行なわれ、その開閉動作の間に、役物内に遊技球が入賞し、かつ、その役物内のＶゾーンに入賞することにより、通常の遊技状態から遊技者にとって有利な遊技状態に移行することを内容とするものである。
【００３１】
この第２種の遊技機において、「通常の遊技状態」は、羽根を開閉動作させない態様からなる。また、「遊技者にとって有利な遊技状態」は、羽根の開閉動作を遊技球が概ね１０個入賞するまで行なう態様、又は羽根の開閉動作を１８回行なう態様からなる。
なお、「遊技者にとって有利な遊技状態」において、遊技球がＶゾーンに再び入賞することにより、その時点から羽根の開閉動作（１８回）を開始するようになっており、その開閉動作は最長１５回まで行なわれるようになっている。
【００３２】
「第３種」
通常の遊技状態からこれよりも遊技者にとって有利な遊技状態に移行させるための所定の条件が満たされている間に、その遊技者にとって有利な遊技状態にするために、特定の入賞口に遊技球を入賞させることが必要となる内容とするものである。
【００３３】
図１は、本発明の一実施形態に係るぱちんこ遊技機及びＣＲユニットの外観斜視図、図２は、そのぱちんこ遊技機の受け皿付扉を取り外した状態の正面図である。
【００３４】
一実施形態に係るぱちんこ遊技機Ａは、遊技盤１を、これの遊技領域１ａを正面から見えるように固定した遊技機本体２に、その遊技盤１を覆う主扉３と受け皿付扉４とを上下にしかつ開閉自在に取り付けた外観構成になっている。
【００３５】
上記の遊技機本体２は縦横８００×５００（ミリ）程の大きさのものであり、ホール等に設置した例えば木製の外枠５に内設されることにより、所謂島設備等に配列固定されるようになっている。
【００３６】
主扉３は、詳細を後述する遊技盤１を視認できるほぼ円形の窓孔３ａを形成した扉板６に、ガラスや樹脂等で形成した透明板７を嵌め込んだものであり、その扉板６の上部中央に枠ランプ８を、また、これの左右両側にスピーカ９，９を配設している。
なお、この主扉３は、図示しないロック機構により遊技機本体２に対してロック及びアンロックされるようになっている。
【００３７】
遊技盤１は、縦横約４００〜５００（ミリ）程の略正方形にしかつ所要の厚みにして形成されており、主扉３の窓孔３ａに対向する位置において遊技機本体２に対し着脱可能に取り付けられている。
【００３８】
受け皿付扉４で覆われる上記遊技機本体２の正面には、発射駆動装置１０がやや左側部寄りに、また、遊技球貯溜部１１がほぼ中央部分に配設されている。
【００３９】
受け皿付扉４の上部側には、払い出された多数の遊技球ａ…を貯留できかつそれら遊技球ａ…を発射駆動装置１０に向けて案内する案内通路を設けた受け皿１２が突設されているとともに、その受け皿１２の下方両側部には、回動式操作ハンドルＨと、所定の角度範囲内で揺動可能な灰皿１３とが配設されている。
なお、１４，１４は、受け皿１２に貯留させた遊技球ａを、所謂ドル箱とも呼称される遊技球収集箱（図示しない）に排出させるための排出釦である。
【００４０】
回動式操作ハンドル（以下「操作ハンドル」という。）Ｈは、発射駆動装置１０に案内された遊技球ａを遊技盤１内に区画形成された遊技領域１ａ（詳細を後述する）に向けての打出し操作を行うためのものである。
【００４１】
灰皿１３の上側には、ＣＲユニット１５のカード挿入口（図示しない）に挿入したプリペイドカードのカード返却釦１６と貸し球用釦１７を配設した凸部１８が形成されているとともに、操作ハンドルＨの上側には当該凸部１８と正面視左右対称の位置に同形同大の凸部１９が形成されている。
なお、受け皿付扉４は、前記した主扉３と同じく、図示しないロック機構によって遊技機本体２に対してロック及びアンロックされるようになっている。
【００４２】
図２に示すように、遊技盤１の正面には、上記打ち出された遊技球ａを摺接ガイドする機能を有し、かつ、適宜に配設された多数本の遊技くぎ（図示しない）からなるゲージを囲繞することにより、直径約３００（ミリ）程度の遊技領域１ａを略円形に区画するガイドレール３０，３１が撓曲形成されている。
【００４３】
遊技領域１ａのほぼ中央部分には、ＬＣＤ（Liquid Crystal Display）等からなる、横長にした略方形の表示部（以下「ディスプレイ」という。）３２が配置されており、これには飾り枠部材３３が取り付けられている。
【００４４】
ディスプレイ３２の左右両側方には、スルーチャッカ３４，３４が互いに左右対称となる位置に配置されているとともに、それらスルーチャッカ３４，３４の上方至近位置には発光ユニットＢ，Ｂが配置されている。
【００４５】
スルーチャッカ３４，３４は、これを遊技球ａが通過することにより前記ディスプレイ３２に、例えば上記した識別情報の変動態様等を表示させる契機とするためのものである。
それらスルーチャッカ３４，３４の下方には、４つの風車３５…が２つずつ左右対称に振り分けて配設されているとともに、それら風車３５…の両側方にも、発光ユニットＢが配置されている。
風車３５…，遊技くぎ（図示しない），上記した飾り枠部材３３等は、遊技球ａの落下の方向に変化を与えるための障害部材である。
【００４６】
ディスプレイ３２の下方には、電動チューリップ３６を近接して設けたスタートチャッカ（始動口）３７と、アタッカ（大入賞口）３８とが互いに上下にして配設されている。
スタートチャッカ３７は、これに前記発射駆動装置１０から発射された遊技球ａが、始動入賞球検知センサ７２（図５に示している）によって検知されることによって、大当たり等の判定を行うための抽選や、識別情報の変動態様や停止態様等を上記ディスプレイ３２に表示させ、また、所定数の遊技球を賞球として払い出す契機とするためのものである。
【００４７】
電動チューリップ３６は、スタートチャッカ３７の開口範囲を拡縮する可動部材３６ａ，３６ａを有しているものである。なお、３９は、入賞しなかった遊技球ａを回収するためのアウト口である。
【００４８】
アタッカ３８は、正面視において横長の略方形に形成されており、これには開閉扉３８ａが開閉自在に取り付けられており、このアタッカ３８の両側に４つの発光ユニットＢ…を２つずつ振り分けて配置している。
【００４９】
上記した遊技盤１の詳細な構成について、図３，４をも参照して説明する。図３は、盤面板，遊技盤，発光ユニット及び取付け版体を分解して示す要部斜視図、図４（Ａ）は、発光ユニットの要部正面図、（Ｂ）は、盤面板，遊技盤，発光ユニット及び取付け版体を組み立てた状態の断面図である。
【００５０】
遊技盤１は、主板２０の正面２０ａの全域に、例えばセルロイド等の合成樹脂を一定の厚みにした盤面板２１を重ね合わせて貼着した構成になっている。
主板２０の所定の位置には、発光ユニットＢを配置するためのユニット用窓孔２２が形成されている。
【００５１】
ユニット用窓孔２２は、発光ユニットＢから発せられた光を遊技盤１の背面側から正面側に向けて透過させるためのものであり、主板２０の正面２０ａと背面２０ｂとの間に貫通させて断面縦長の正方形に形成されている。なお、主板２０の正面２０ａに臨む開口を遊技領域側開口２２ａ、また、背面２０ｂに臨む開口を背面側開口２２ｂという。
【００５２】
「所定の位置」は、上記した遊技くぎ等の障害部材を配設しない遊技領域１ａ内の区域をいう。具体的には、前述した従来の装飾部材が配置されていた区域、ディスプレイ３２の周囲等の視覚的な効果を得やすい区域等である。
【００５３】
遊技盤１の背面には、各種の制御装置を取り付けるための取付け版体２３が対向して配置されており、その取付け版体２３に発光ユニットＢを固定している。
【００５４】
取付け版体２３は、図３，４に示すように、正面視において略正方形に形成されており、これの遊技盤１に対向する面（以下「対向面」という。）２３ａに発光ユニットＢ…が固定されているとともに、四隅に円柱形の脚部２３ｂ…が突出して形成されている。それら脚部２３ｂ…を介して取付け版体２３を遊技盤１に固定しており、それら脚部２３ｂ…の長さを長短調整することにより、取付け版体２３と遊技盤１との間隔を広狭調整することができる。
【００５５】
一例に係る発光ユニットＢは、補強部材８０、基板８１及び光源である６個のＬＥＤ８２…から構成されている。
補強部材８０は、取付け版体２３に一体にして形成されており、それは、起立した当接片８０ａの下端部に水平な支持片８０ｂの前端部を連結した側面Ｌ字形に形成されている。
【００５６】
当接片８０ａは、これの当接面８０ｃが盤面板２１の背面２１ｂに当接することにより、その盤面板２１を補強するためのものであり、正面視においてユニット用窓孔２２の縦断面とほぼ同形同大のものである。
【００５７】
支持片８０ｂは、取付け版体２３を遊技盤１（主板２０）の背面２０ｂに取り付けたときに、当接片８０ａの当接面８０ｃが盤面板２１の背面２１ｂに当接する長さにして形成されている。
すなわち、ユニット用窓孔２２に臨む盤面板２１の対向部分２１ｃは、これを支持するものがないために、機械的な強度が充分でないことが考えられるが、当該対向部分２１ｃに当接片８０ａを当接させることにより、補強することができる。
【００５８】
なお、当接片８０ａの当接面８０ｃを盤面板２１に当接させていることが好ましいが、当該盤面板２１に当接面８０ｃを近接させた状態にしてもよい。この場合、盤面板２１がユニット用窓孔２２に向けて突出するように変形するときにも、その変形を途中で阻止することができる。
すなわち、本実施形態において「補強」というときには、当接面８０ｃを盤面板２１に当接している場合、当接面８０ｃを盤面板２１に近接させている場合の双方を含む。また、それら双方の場合において、当接面８０ｃと盤面板２１とを接着してもよい。この場合、補強の効果をより高められる。
【００５９】
基板８１は、正面視において上記支持片８０ｂよりもやや幅広にした横長の長方形に形成されており、これの正面に搭載した６個のＬＥＤ８２…を外部回路に導通するための回路（図示しない）が形成されている。
【００６０】
ＬＥＤ８２…は、基板８１のユニット用窓孔２２に対向する領域内に、３個ずつ上下２段にして配列されている。すなわち、ＬＥＤ８２…を３個ずつ上下２段にして配列することにより、正面視においてユニット用窓孔２２内にＬＥＤ８２…をほぼ均等に配置することになり、明るさを均一にすることができる。
なお、ＬＥＤ８２…の配列状態は、ユニット用窓孔２２の大きさや形状を勘案して設定すればよいものであり、上記したように、３個ずつ上下２段にして配列することに限るものではない。
【００６１】
本実施形態において、盤面板２１は、ユニット用窓孔２２の遊技領域側開口２２ａを視認できないように隠蔽しかつ発光ユニットＢから発せられた光を透過する開口隠蔽部材を兼ねている。
具体的には、発光ユニットＢによって光を発しないときには、ユニット用窓孔２２の遊技領域側開口２２ａを視認できず、かつ、発光ユニットＢによって光を発したときには、その光を透過させられるように混濁した色彩にするとともに、所要の板厚にしている。
【００６２】
また、盤面板２１の表面（正面）２１ａには、遊技内容を想起させるような図画が描かれており、これによっても、各ユニット用窓孔２２に対向する部分２１ｃと、その他の部分とが遊技者によって判別することができないようになっている。
すなわち、盤面板２１は、発光ユニットＢの存在やユニット用窓孔２２が主板２０に形成されていることが遊技者によって判別できない色彩，材質，板厚を互いに組み合わせることにより、また、これらと図画との組み合わせを必要に応じて適宜に行なうことにより形成されている。
【００６３】
さらに、主板２０の正面２０ａに重ね合わせた盤面板２１により、ユニット用窓孔２２の遊技領域側開口２２ａを蔽っているので、盤面板２１とは別に、遊技領域側開口２２ａを掩蔽するための板材やそのための加工を必要とせず、安価に製造できるという利点がある。
【００６４】
上記した構成においては、発光ユニットＢ…から光を発していないときには、ユニット用窓孔２２は盤面板２１によって隠蔽されており、遊技者は、発光ユニットＢ…を判別することができない。
上記した発光ユニットＢ…から光を発すると、遊技者が予期しない遊技領域の一部が点灯，点滅し、遊技を行なっている遊技者に、光を発しているときと、光を発していないときとに、視覚的なギャップに与えることができる。これにより、新鮮な驚きを与えられるとともに、遊技を継続しようとする意欲を高める上で効果的である。
【００６５】
次に、回路系統について図５を参照して説明する。図５は、本発明の一実施形態に係るぱちんこ遊技機の制御回路を示すブロック図である。
６０はコンピュータである主制御装置であり、ＣＰＵ（Central Processing Unit)６１，制御プログラムや本発明遊技機用プログラム等が記憶されたＲＯＭ（Read Only Memory）６２，上記ＣＰＵ６１のワーク用メモリとしてのＲＡＭ（Random access Memory）６３、及び水晶発振回路部６４を有して構成されている。
【００６６】
水晶発振回路部６４は、発振パルスを分周することにより、制御動作の基準となる例えば４（ミリ秒）毎のタイミングパルスを生成するものである。
【００６７】
ＲＡＭ６３には、遊技の履歴や遊技者にとって有利な遊技状態に移行している間に獲得した遊技利益等が記憶されるようになっている。
「遊技の履歴」は、当該ぱちんこ遊技機Ａにおいて行なわれた遊技内容の経時的な記録であり、例えば前記したスルーチャッカ３４，３４に遊技球ａが一定時間内に入賞した個数、アタッカ３８の開閉扉３８ａの開閉時間やその回数、アタッカ３８に入賞した遊技球の個数等を含むものである。
【００６８】
主制御装置６０の入力側には、電源供給装置７０の他、入力インターフェース７１を介して、前記スタートチャッカ３７に入賞した遊技球ａを検知する始動入賞球検知センサ７２、大入賞球検知センサ７３、継続球検知センサ７４、通過球検知センサ７５、その他入賞球検知センサ７６、遊技球払出検知センサ７７及びエラー検知センサ７８等が接続されている。
【００６９】
ＣＰＵ６１は、上記のＲＯＭ６２に記憶されている制御プログラムや遊技機用プログラムを実行することにより、上記したＲＡＭ６３や後述する各副制御装置等とともに所定の機能を実現するようになっている。
【００７０】
主制御装置６０の出力側には、集中管理装置６５の他、出力インターフェース６６を介して、図柄制御装置１００，ランプ制御装置１１０，音声制御装置１２０，払出制御装置１３０，発射制御装置１４０，及び可動物制御装置１５０を有してなる副制御装置が接続されており、それらの詳細は次の通りである。
【００７１】
図柄制御装置１００は、ＣＰＵ１０１、このＣＰＵ１０１に接続されたＲＯＭ１０２及びＲＡＭ１０３が搭載されてなるものであり、これの出力側には、ビデオ・ディスプレイ・プロセッサ（ＶＤＰ：Video Display Processor）１０４を介して前記ディスプレイ３２が、また、ビデオ・ディスプレイ・プロセッサ１０４を介することなく、普通図柄ＬＥＤ１０５（図２には示していない）が接続されている。
【００７２】
この図柄制御装置１００は、上記主制御装置６０から送信される制御信号に基づき、ビデオ・ディスプレイ・プロセッサ１０４を介してディスプレイ３２を表示制御するとともに、普通図柄ＬＥＤ１０５を表示制御する。
【００７３】
ランプ制御装置１１０は、ＣＰＵ１１１、このＣＰＵ１１１に接続されたＲＯＭ１１２及びＲＡＭ１１３を搭載してなるものであり、上記主制御装置６０から送信される制御信号に基づいて、遊技盤１に配設した発光ユニットＢ…、主扉３に配設された主扉関係の電飾１１４，１１４（図２には示していない）を点灯，点滅する制御をし又はこれらの発光色を変更する等の各機能を有している。
【００７４】
音声制御装置１２０は、ＣＰＵ１２１、このＣＰＵ１２１に接続されたＲＯＭ１２２及びＲＡＭ１２３を搭載してなるものであり、上記主制御装置６０から送信される制御信号に基づいて、主扉３に配設された前記スピーカ９，９を含む音声発生装置１２４を制御する機能を有するものである。
【００７５】
払出制御装置１３０は、ＣＰＵ１３１、このＣＰＵ１３１に接続されたＲＯＭ１３２及びＲＡＭ１３３を搭載してなるものであり、上記主制御装置６０から送信される制御信号に基づいて、遊技球払出装置１３４及び前記したＣＲユニット１５を制御する機能を有している。なお、本実施形態においては、球貸し信号制御装置１３５は、払出制御装置１３０と直接通信できるように回路接続されている。
【００７６】
発射制御装置１４０は、操作ハンドルＨから送出される遊技球発射信号（出力電圧）、及び上記主制御装置６０から払出制御装置１３０を介して送信される制御信号に基づき、前述した発射駆動装置１０を制御する機能を有しているものである。
【００７７】
可動物制御装置１５０は、前記電動チューリップ３６の可動部材３６ａ，３６ａ、アタッカ３８の開閉扉３８ａの他、本実施形態においては図示していないが、遊技球を振り分けるための振分け部材、演出を行うための演出部材等を適宜駆動制御するものである。
【００７８】
次に、第１の変形例に係る発光ユニットについて、図６，７を参照して説明する。図６は、盤面板，遊技盤，発光ユニット及び取付け版体を分解して示す要部斜視図、図７（Ａ）は、第１の変形例に係る発光ユニットの要部正面図、（Ｂ）は、盤面板，遊技盤，第１の変形例に係る発光ユニット及び取付け版体を組み立てた状態の断面図である。なお、図１〜図５において説明したものと同等のものについては、同一の符号を付してその説明を省略する。
【００７９】
主板２０の所定の位置には、後述する第１の変形例に係る発光ユニットＣから発せられた光を遊技盤１の背面側から正面側に向けて透過させるためのユニット用窓孔２００が形成されている。
【００８０】
「ユニット用窓孔２００」は、主板２０の正面２０ａと背面２０ｂとの間に貫通して断面横長の長方形にして形成されているものである。なお、主板２０の正面２０ａに臨む開口を遊技領域側開口２００ａ、背面２０ｂに臨む開口を背面側開口２００ｂという。また、「所定の位置」については、上記したものと同義である。
【００８１】
第１の変形例に係る発光ユニットＣは、補強部材２０１、基板２０２及び光源である６個のＬＥＤ２０３…から構成されている。
補強部材２０１は、正面視において横長の長方形にした当接片２０１ａの両端部に、水平な支持片２０１ｂ，２０１ｂの前端部を連結して平面視コ字形にしたものであり、前記したものと同等の構成からなる取付け版体２３の対向面２３ａに一体に形成されている。
【００８２】
当接片２０１ａは、遊技盤１の背面側から盤面板２１の背面に当接することにより、その盤面板２１を補強するためのものであり、正面視において遊技領域側開口２００ａとほぼ同形同大のものである。
【００８３】
支持片２０１ｂは、取付け版体２３を遊技盤１（主板２０）の背面２０ｂに取り付けたときに、当接片２０１ａの正面２０１ｃが盤面板２１の背面に当接する長さにして形成されている。
すなわち、ユニット用窓孔２００に対向する盤面板２１の対向部分２１ｃは、これを支持するものがないために、機械的な強度が充分でないことが考えられるが、遊技領域側開口２００ａに臨む盤面板２１の対向部分２１ｃに当接片２０１ａが当接することにより補強される。
【００８４】
基板２０２は、正面視において上記支持片８０ｂよりもやや幅広にした横長の長方形に形成されており、これの正面に搭載した７個のＬＥＤ２０３…を導通するための回路が形成されている。
ＬＥＤ２０３…は、遊技領域側開口２００に対向する基板２０２の領域内に、一列にして配列されている。なお、ＬＥＤ２０３…の配列状態は、ユニット用窓孔２００の大きさや形状を勘案して設定すればよいことは上述したとおりである。
【００８５】
次に、第２の変形例に係る発光ユニットについて、図８を参照して説明する。図８は、第２の変形例に係る発光ユニットの分解斜視図である。なお、図１〜図５において説明したものと同等のものについては、同一の符号を付してその説明を省略する。
【００８６】
主板２０には、後述する第２の変形例に係る発光ユニットＤから発せられた光を遊技盤１の背面側から正面側に向けて透過させるためのユニット用窓孔３００が所定の位置に形成されている。
【００８７】
ユニット用窓孔３００は、主板２０の正面２０ａと背面２０ｂとの間に貫通して断面正方形に形成されているが、後記する単一のＬＥＤ３０２に対応して、前記したユニット用窓孔２２，２００よりも小さい断面積のものである。
なお、主板２０の正面２０ａに臨む開口を遊技領域側開口３００ａ、背面２０ｂに臨む開口を背面側開口３００ｂという。なお、「所定の位置」については、上記したものと同義である。
【００８８】
第２の変形例に係る発光ユニットＤは、基板３０１と光源である単一のＬＥＤ３０２から構成されている。
基板３０１は、ユニット用窓孔３００の断面形と同じ正方形でやや大きく形成されており、これの正面に搭載したＬＥＤ３０２を外部回路に導通するための回路が形成されている。
ＬＥＤ３０２は、基板３０１上において、背面側開口３００ｂの中心に一致するように配置されている。
【００８９】
この第２の変形例に係る発光ユニットＤは、上記したものと同等の補強部材を設けていない。すなわち、ユニット用窓孔３００は、単一のＬＥＤ３０２に対応して、前記したユニット用窓孔２２，２００よりも小さい断面積にして形成されているので、ユニット用窓孔３００に対向する盤面板２１の対向部分２１ｃを補強する必要がないからである。
すなわち、補強部材は、ユニット用窓孔の断面積や盤面板の材質，厚みを勘案し、盤面板を補強する必要があるときに設ければよいものである。
【００９０】
本発明は前述した実施形態に限るものではなく、次のような変形実施が可能である。
上記においては、盤面板に開口隠蔽部材としての機能を併有させたものについて説明したが、盤面板の遊技領域側開口に対向する部分を同形同大に切り欠いておき、その切欠き部分に、遊技領域側開口に上記した開口隠蔽部材と同等の性質からなる開口隠蔽部材を嵌合した構成にすることができる。
【００９１】
また、上記においては、遊技領域側開口は互いに同じ大きさに形成しているものとして説明したが、それらを互いに異なる大きさにしてもよい。また、それらの輪郭形状についても上記した正方形に限らず、多角形，楕円形等の公知の形状にすることができる。さらに、それらユニット用窓孔の数や位置については、当該ぱちんこ遊技機の遊技内容等を考慮して適宜設定できることは勿論である。
【００９２】
上記においては、開口隠蔽部材を設けた構成のものについて説明したが、例えばユニット用窓孔の断面積が、例えば図８に示すように小さい場合には、必ずしも開口隠蔽部材を設けなくともよい。
【００９３】
上記においては、発光ユニットから発せられた光を拡散するための光拡散加工を開口隠蔽部材である盤面板に施している例について説明したが、補強部材に施すようにしてもよい。
【００９４】
また、光拡散加工を開口隠蔽部材や補強部材に施すことなく、発光ユニットから発せられた光を拡散するための散光部材を設けた構成にしてもよい。
具体的には、補強部材の正面に散光部材を重ね合わせて貼着した構成や、盤面板の背面に、散光部材を重ね合わせて貼着した構成にすることができる。この場合、盤面板を補強することにもなるので、別に補強部材を設けなくてもよい。
【００９５】
上記した実施の形態においては、各種の制御装置を取り付けるための取付け版体を、遊技盤の背面に対向して配置しておき、その取付け版体に発光ユニットを固定した構成のものについて説明したが、遊技盤の背面に直接固定するようにしてもよい。
【００９６】
図３，４，６，７においては、補強部材を取付け版体に一体に形成した構成のものについて説明したが、これに限らず、取付け版体と別体に形成してもよいことは勿論である。
【００９７】
図３，４，６，７においては、発光ユニットから発せられた光により、遊技領域側開口に対向する盤面板の部分を光らせるようにしたが、ユニット用窓孔内に、発光ユニットから発せられた光を回析させるための回析用部材を設けた構成にして、回析光を利用するようにしてもよい。
【００９８】
図９に回析用部材の具体例を示す。図９は、回析用部材をユニット用窓孔内に配置した正面図である。
４００は主板に直方体形にして形成したユニット用窓孔であり、これの遊技領域側開口４００ａに、回析用部材４０１を配置している。
回析用部材４０１は、遊技領域側開口４００ａの内壁面との間に、一定の間隙Ｗが生じる大きさの長方形に形成されているものであり、光源であるＬＥＤ４０２…から発せられる光を遮蔽する非透光性の材質で形成されている。
【００９９】
この構成では、ＬＥＤ４０２…から発せられる光は間隙Ｗ部分で回析し、この回析によって生ずる回析光が、ユニット用窓孔４００から生じているように視認され、回析光を利用した特異な視覚的な効果を得ることができる。
【０１００】
なお、回析用部材４０１を、開口隠蔽部材の背面に当接するようにしてユニット用窓孔内に配置することにより、上記した開口隠蔽部材を補強する補強部材としての機能を併有させることもできる。
【図面の簡単な説明】
【０１０１】
【図１】本発明の一実施形態に係るぱちんこ遊技機及びＣＲユニットの外観斜視図である。
【図２】同上のぱちんこ遊技機の受け皿付扉を取り外した状態の正面図である。
【図３】盤面板，遊技盤，発光ユニット及び取付け版体を分解して示す要部斜視図である。
【図４】（Ａ）は、発光ユニットの要部正面図、（Ｂ）は、盤面板，遊技盤，発光ユニット及び取付け版体を組み立てた状態の断面図である。
【図５】本発明の一実施形態に係るぱちんこ遊技機の制御回路を示すブロック図である。
【図６】盤面板，遊技盤，発光ユニット及び取付け版体を分解して示す要部斜視図である。
【図７】（Ａ）は、第１の変形例に係る発光ユニットの要部正面図、（Ｂ）は、盤面板，遊技盤，第１の変形例に係る発光ユニット及び取付け版体を組み立てた状態の断面図である。
【図８】第２の変形例に係る発光ユニットの分解斜視図である。
【図９】回析用部材をユニット用窓孔内に配置した正面図である。
【符号の説明】
【０１０２】
１                          遊技盤
１ａ                        遊技領域
２０                        主板
２１                        盤面板（開口隠蔽部材）
２２，２００，３００        ユニット用窓孔
２２ａ，２００ａ，３００ａ  遊技領域側開口
２３                        取付け版体
８０，２０１                補強部材
４０１                      回析用部材
Ｂ，Ｃ，Ｄ                  発光ユニット
【図１】
2005152226.tif 000003
【図２】
2005152226.tif 000004
【図３】
2005152226.tif 000005
【図４】
2005152226.tif 000006
【図５】
2005152226.tif 000007
【図６】
2005152226.tif 000008
【図７】
2005152226.tif 000009
【図８】
2005152226.tif 000010
【図９】
2005152226.tif 000011